(57)【要約】【課題】車載機器において、タッチパネルにおける操作に対応した機能をより確実かつ容易に確認できるようにする。【解決手段】車載機器１において、タッチパネル１２ａを介して操作ボタンが押下された場合に、押下された操作ボタンの種類や継続押下時間に応じて、操作ボタンの説明用画像が表示部１２ｂに所定時間表示される。また、操作ボタンの押下が所定時間以上検出されない場合に、選択中のソースを説明する内容を示す画像（操作ボタンに対応した説明用画像）が、次の操作入力がなされるまで表示される。また、この説明用画像は、サイズ、形状、色彩、明度等の変化を伴って動的に表示される。【選択図】          図１
2004210216.tif 000002
【特許請求の範囲】
【請求項１】
表示画面を有する表示手段と、前記表示画面に重畳され、操作ボタンを有するタッチパネルと、前記操作ボタンに対する接触を検知する検知手段と、を備えた車載機器において、
前記検知手段により前記操作ボタンに対する接触が検知された場合に、該操作ボタンに対応する操作内容を示す説明用画像を前記表示画面に動的に表示させる表示制御手段を備えることを特徴とする車載機器。
【請求項２】
前記表示制御手段は、前記説明用画像を所定時間表示させた後、その表示を終了することを特徴とする請求項１に記載の車載機器。
【請求項３】
前記表示制御手段は、前記表示画面に予め表示された画像の背景に前記説明用画像を表示させることを特徴とする請求項１又は２に記載の車載機器。
【請求項４】
前記表示制御手段は、前記説明用画像のサイズ、形状、色のうち少なくとも何れか１つを変化させて前記表示画面に動的に表示させることを特徴とする請求項１〜３の何れか一項に記載の車載機器。
【請求項５】
前記表示制御手段は、前記操作ボタンのサイズ、形状、色のうち少なくとも何れか１つを変化させることにより前記説明用画像の表示を行うことを特徴とする請求項１〜３の何れか一項に記載の車載機器。
【請求項６】
前記表示制御手段は、文字、数字、記号、図形のうち何れか１つまたは複数が組み合わせられた画像を前記説明用画像として前記表示画面に表示させることを特徴とする請求項１〜５の何れか一項に記載の車載機器。
【請求項７】
前記説明用画像及び当該説明用画像の前記表示画面における表示位置情報を前記操作ボタンと対応付けて記憶する記憶手段を備えることを特徴とする請求項１〜６の何れか一項に記載の車載機器。
【発明の詳細な説明】
【０００１】
【発明の属する技術分野】
本発明は、自動車等に搭載される車載機器に関する。
【０００２】
【従来の技術】
現在、ナビゲーション、テレビ、オーディオ等の多様な機能を実装した車載機器が普及している。このような車載機器には機能を選択するための操作ボタンが設けられているが、近年の機能の多様化により、凹凸型のボタンを使用した場合には所望の機能を呼び出すために複数のボタンを組み合わせて押下する等する必要が生じてきた。このため、近年ではタッチパネルを備えた機器が増加しているが、タッチパネルは凹凸のあるボタンに比べて操作感が希薄であるという問題があった。
【０００３】
そこで、近年、タッチパネルディスプレイに表示されたスイッチが選択された場合に、そのスイッチに対応する機能の内容やＯＮ／ＯＦＦ状態を音声で案内したり、音声を認識し、認識した音声に応じて表示画面を切り替えたり、選択されたスイッチのアイコンを点滅表示させる自動車用入力装置が発明されている（例えば、特許文献１参照。）。
【０００４】
【特許文献１】
特開平１１−３３４４９３号公報
【０００５】
【発明が解決しようとする課題】
しかしながら、比較的大音量で音楽を聴いている場合や、騒音の多い環境下においては、案内用の音声が聞こえないおそれがあった。また、一般的に車載機器の表示画面は面積が狭く、特に画面内に複数のアイコンが表示されている場合には、アイコンが点滅表示された状態であっても画面を視認しなければ何れのアイコンが点滅しているのかを確認できないことが考えられる。
【０００６】
そこで、本発明の課題は、タッチパネルにおける操作に対応した機能をより確実かつ容易に確認できる車載機器を提供することである。
【０００７】
【課題を解決するための手段】
請求項１に記載の発明は、車載機器において、
表示画面を有する表示手段と、前記表示画面に重畳され、操作ボタンを有するタッチパネルと、前記操作ボタンに対する接触を検知する検知手段と、を備えた車載機器において、
前記検知手段により前記操作ボタンに対する接触が検知された場合に、該操作ボタンに対応する操作内容を示す説明用画像を前記表示画面に動的に表示させる表示制御手段を備えることを特徴としている。
【０００８】
請求項２に記載の発明は、請求項１に記載の発明において、
前記表示制御手段は、前記説明用画像を所定時間表示させた後、その表示を終了することを特徴としている。
【０００９】
請求項３に記載の発明は、請求項１又は２に記載の発明において、
前記表示制御手段は、前記表示画面に予め表示された画像の背景に前記説明用画像を表示させることを特徴としている。
【００１０】
請求項４に記載の発明は、請求項１〜３の何れか一項に記載の発明において、
前記表示制御手段は、前記説明用画像のサイズ、形状、色のうち少なくとも何れか１つを変化させて前記表示画面に動的に表示させることを特徴としている。
【００１１】
請求項５に記載の発明は、請求項１〜３の何れか一項に記載の発明において、
前記表示制御手段は、前記操作ボタンのサイズ、形状、色のうち少なくとも何れか１つを変化させることにより前記説明用画像の表示を行うことを特徴としている。
【００１２】
請求項６に記載の発明は、請求項１〜５の何れか一項に記載の発明において、
前記表示制御手段は、文字、数字、記号、図形のうち何れか１つまたは複数が組み合わせられた画像を前記説明用画像として前記表示画面に表示させることを特徴としている。
【００１３】
請求項７に記載の発明は、請求項１〜６の何れか一項に記載の発明において、
前記説明用画像及び当該説明用画像の前記表示画面における表示位置情報を前記操作ボタンと対応付けて記憶する記憶手段を備えることを特徴としている。
【００１４】
【発明の実施の形態】
以下、図面を参照して、本発明を適用した車載機器の一実施の形態について詳細に説明する。ここで、本発明に係る特許請求の範囲及び以下の実施の形態において、車載機器の表示画面に表示される操作ボタンの機能を説明する画像を「説明用画像」という。説明用画像は、例えば、文字、数字、記号、図形や、これらを組み合わせた画像であり、絵やパターン等の静止画像や動画像が含まれる。
【００１５】
まず、構成を説明する。
図１は、本実施の形態における車載機器１の機能的構成を示すブロック図である。同図に示すように、車載機器１は、ＣＰＵ（Ｃｅｎｔｒａｌ  Ｐｒｏｃｅｓｓｉｎｇ  Ｕｎｉｔ）１１、入力表示装置１２、メモリ１３、記憶装置１４、ＧＰＳ（Ｇｌｏｂａｌ  Ｐｏｓｉｔｉｏｎｉｎｇ  Ｓｙｓｔｅｍ）ユニット１５、自律航法ユニット１６、再生制御部１７、タイマ１８、音声出力部１９、ＣＤ機構部３０、ＭＤ機構部４０、ＤＶＤ機構部５０、チューナ機構部６０が、バス２０により相互にデータの送受信が可能なように接続されて構成される。
【００１６】
ＣＰＵ１１は、記憶装置１４に記憶された基本動作制御プログラムの他、本発明に係る画面表示制御処理用プログラムとの協働により、車載機器１の処理動作を統括的に制御して、後述する画像表示制御処理（図２参照）を実現する。
【００１７】
入力表示装置１２は、タッチパネル１２ａ及び表示部１２ｂを備えて構成される。
タッチパネル１２ａは、透明電極が配置された感圧式（抵抗膜圧式）の入力装置であり、表示部１２ｂの表示画面上に重畳されて配設され、表示部１２ｂと一体化されている。表示部１２ｂに表示された画像や各種操作ボタンは、タッチパネル１２ａを介して視認可能である。タッチパネル１２ａは、手指等で押下された力点の位置座標を電圧値で検出して押下位置データとしてＣＰＵ１１に出力する。
表示部１２ｂは、ＬＣＤ（Ｌｉｑｕｉｄ  Ｃｒｙｓｔａｌ  Ｄｉｓｐｌａｙ）等により構成され、ＣＰＵ１１から入力される表示信号に従って、その表示画面に画像や各種ボタン等を表示する。
【００１８】
メモリ１３は、ＲＡＭ（Ｒａｎｄｏｍ  Ａｃｃｅｓｓ  Ｍｅｍｏｒｙ）等により構成され、ＣＰＵ１１により実行される各種プログラムやこれらの各種プログラムによって処理されたデータを一時的に記憶するワークエリアを形成する。
【００１９】
記憶装置１４は、プログラムやデータが予め記憶された記録媒体（図示せず）を備え、この記録媒体内に車載機器１に対応した基本動作制御プログラム、画面表示制御処理プログラム、画面表示制御処理において計時される時間ｔ１及び時間ｔ２のデータ、表示部１２ｂの表示画面における画面表示用データ等が記憶されている。
【００２０】
また、上記記録媒体には、表示部１２ｂの表示画面に表示される各種操作ボタンと、各操作ボタンの説明用画像と、この説明用画像の表示画面における表示位置を示す情報とが対応付けて記憶される。説明用画像は、表示部１２ｂの表示画面において、動き、サイズ、色彩、明度等の変化を伴って一定時間表示される。
【００２１】
ＧＰＳユニット１５は、ＧＰＳアンテナ１５ａを備え、地球低軌道に打ち上げられたＧＰＳ衛星から送信されるＧＰＳ信号を受信する。そして、受信したＧＰＳ信号をに基づき、車両の絶対的な現在位置（緯度及び経度）を検出してＣＰＵ１１に出力する。
【００２２】
自律航法ユニット１６は、角度センサ、距離センサ（何れも図示せず）等を備えて構成される。角度センサは、車の角速度（単位時間あたりの水平方向への回転角度）を検出して、移動方位の変化量を算出する。距離センサは、車輪の回転に応じて出力されるパルス信号を検出して、車両の移動量を算出する。自動航法ユニット１３は、これらの角速度信号及び車速パルス信号により、車両の相対的な一編かを算出してＣＰＵ１１に出力する。
【００２３】
再生制御部１７は、ＣＤ機構部３０、ＭＤ機構部４０、ＤＶＤ機構部５０、チューナ機構部６０を制御して、ＣＤ、ＭＤ、ＤＶＤ、チューナの各ソースの再生制御を行い、音声信号を音声出力部１９に送出して発音させる。
【００２４】
タイマ１８は、ＣＰＵ１１からの指示に従い、時間ｔ１及び時間ｔ２を計時する。
【００２５】
音声出力部１９は、スピーカ、Ｄ／Ａコンバータ及び増幅器（何れも図示せず）等により構成され、再生制御部１１又はＣＰＵ１１からの音声出力指示信号に従って、デジタル音声信号をＤ／Ａコンバータによりアナログ信号に変換後、増幅器により所定の音量に増幅して、スピーカから音声として出力する。
【００２６】
次に、動作を説明する。
ここで、図２のフローチャートに記述されている各機能を実現するためのプログラムは、読み取り可能なプログラムコードの形態で記憶装置１４内の記録媒体（図示省略）に格納されており、車載機器１はこのプログラムコードに従った動作を逐次実行する。また、車載機器１に外部機器と接続するためのインターフェイスを設けて、外部機器から供給されるプログラムやデータを利用して車載機器１特有の動作を実行することとしてもよい。
【００２７】
図２は、車載機器１により実行される画面表示制御処理を示すフローチャートである。同図に示すように、画面表示制御処理において、タッチパネル１２ａを介して操作入力がなされた場合に（ステップＳ１；ＹＥＳ）、ステップＳ５に移行する。一方、操作入力がない場合には（ステップＳ１；ＮＯ）、前回の操作入力から時間ｔ２が経過したか否かが判別される（ステップＳ２）。時間ｔ２が経過していない場合は（ステップＳ２；ＮＯ）ステップＳ１に戻り、時間ｔ２が経過した場合には（ステップＳ２；ＹＥＳ）、現在選択されている操作ボタンに対応する説明用画像である動画が記憶装置１４から読み出され、表示部１２ｂに表示される（ステップＳ３）。ここで、例えば、現在ＭＤが選択されている場合には、ＭＤに対応した動画が記憶装置１４から読み出されて表示制御される。
【００２８】
ステップＳ３に続いて、タッチパネル１２ａを介して操作入力がなされた場合には（ステップＳ４；ＹＥＳ）、ステップＳ５に移行する。ステップＳ５において、表示部１２ｂに表示された何れかの操作ボタンが時間ｔ１以上続けて押下された場合には（ステップＳ５；ＹＥＳ）、押下された操作ボタンの説明用画像が記憶装置１４から読み出され、表示部１２ｂに表示される（ステップＳ６）。次いで、説明用画像の表示が終了すると（ステップＳ７；ＹＥＳ）、画面表示制御処理が終了する。
【００２９】
ここで、ステップＳ６における画面表示の遷移例を図３（ａ）〜（ｃ）に示す。図３（ａ）に示す画面においてカテゴリーアップボタン１０１が時間ｔ１以上にわたって長押しされると、カテゴリーアップボタン用の説明用画像である画像Ｇ２０１が、表示画面下端部に予め表示された画像Ｇ３０１の背面に線として現われ、この線が図３（ｂ）に示すように２本に別れ、「Ｃａｔｅｇｏｒｙ  Ｕｐ」という文字の画像Ｇ２０１が表示される。なお、画像Ｇ２０１は、予め表示されていた画像３０１の背面に表示される。次に、図３（ｃ）に示すように線が消えて画像Ｇ２０１のみが残り、一定時間経過すると画像Ｇ２０１が消える。すなわち、ステップＳ６において、時間ｔ１以上長押しされた操作ボタンの説明用画像が、サイズや形状の変化を伴う動画として表示される。なお、この動画は、サイズ及び形状だけでなく、色彩や明度の変化を伴うこととしてもよい。
【００３０】
一方、ステップＳ５において、何れかのボタンが時間ｔ１以上長押しされたと判別されず（ステップＳ５；ＮＯ）、押下された操作ボタンがソース切替時用のボタン（以下、「ＳＲＣ」ボタンという。）である場合には（ステップＳ８；ＹＥＳ）、ソース切替時用のボタンの説明用画像が記憶装置１４から読み出されて表示部１２ｂに表示され、さらにＳＲＣボタンが動きの変化を伴って振動している様に表示される（ステップＳ９）。次に、ステップＳ９における画面表示が終了すると（ステップＳ１０；ＹＥＳ）、次のソース画面が表示部１２ｂに表示され（ステップＳ１１）、画面表示制御処理が終了する。
【００３１】
ここで、ステップＳ９〜Ｓ１１における画面表示の遷移例を図４（ａ）〜（ｆ）に示す。図４（ａ）に示すように、例えばＤＶＤ用の画面において、画面中央部に「ＤＶＤ」という画像Ｇ２０２とＳＲＣボタン１０２とが静止した状態で表示されており、ＳＲＣボタン１０２の押下が検出された場合に、画面表示が図４（ｂ）、（ｃ）、（ｄ）、（ｅ）、へと順次変化する。まず、図４（ａ）においてＳＲＣボタン１０２は左右上下に振動する動きを伴って表示され、次に図４（ｂ）に示すように画像Ｇ２０２が変形する渦巻き状の動画となり、続く図４（ｃ）〜（ｅ）にかけてＧ２０２が動きを伴って表示される。次いで、ステップＳ１１において、図４（ｆ）に示すように、次のソースの画面が表示される。同図に示す例では、ＤＶＤ用画面に代わってチューナ用画面が表示されている。
なお、画像Ｇ２０２及びＳＲＣボタン１０２の表示態様は、形状やサイズ等の変化による動きの変化だけでなく、色彩や明度の変化を伴うこととしてもよい。
【００３２】
一方、ステップＳ８において、押下された操作ボタンがＳＲＣボタンではないと判別され（ステップＳ８；ＮＯ）、ボリューム変更用のボタンであると判別された場合には（ステップＳ１２；ＹＥＳ）、ボリューム変更時用の説明用画像が記憶装置１４から読み出され、表示部１２ｂに表示される（ステップＳ１３）。
【００３３】
図５（ａ）〜（ｆ）に、ステップＳ１３における表示画面の遷移例を示す。まず、図５（ａ）に示す画面例において、ボリュームを上げるためのボリュームアップボタン１０３Ｒ及び１０３Ｌと、ボリュームを下げるためのボリュームダウンボタン１０４Ｒ及び１０４Ｌとが表示されており、これらの操作ボタンの何れかが押下されると、画面表示が図５（ｂ）、（ｃ）、（ｄ）、（ｅ）、へと順次変化する。図５（ｂ）〜（ｅ）において、操作ボタンの押下により設定されたボリュームの数値を示す画像が画面中央部に大きく表示され、さらに数値の周りを円形の破線が順次点灯してゆく動画Ｇ２０３が表示された後、図５（ｆ）に示すように元の図５（ａ）と同様の画面表示に戻る。
なお、画像Ｇ２０３の表示態様は、動きの変化だけでなく色彩や明度の変化を伴うこととしてもよい。
【００３４】
次に、ステップＳ１３における画像の表示が終了すると（ステップＳ１４；ＹＥＳ）、画面表示制御処理が終了する。
【００３５】
一方、ステップＳ１２において、操作されたボタンがボリューム変更用のボタンではないと判別され（ステップＳ１２；ＮＯ）、画面切替用のボタンであると判別された場合には（ステップＳ１５；ＹＥＳ）、画面切替用の画像が記憶装置１４から読み出され、表示部１２ｂに表示される（ステップＳ１６）。次いで、画面切替用の画像の表示が終了したと判別された場合に（ステップＳ１６；ＹＥＳ）、例えば図６（ｆ）に示すように次画面が表示部１２ｂに表示され（ステップＳ１８）、画面表示制御処理が終了する。
【００３６】
図６（ａ）〜（ｆ）に、ステップＳ１６〜Ｓ１８における表示画面の遷移例を示す。図６（ａ）において、スピーカの設定を行うための操作ボタンであるスピーカマーク１０５が押下された場合に、画面表示が図６（ｂ）、（ｃ）、（ｄ）、（ｅ）、へと順次変化する。図６（ｂ）〜（ｅ）に示すように、画面切替用の説明用画像（例えば、雷状の画像）が動き（サイズや形状）の変化を伴って表示される。
【００３７】
そして、画面切替用の画像の表示終了後、図６（ｆ）に示す次画面（同図にはスピーカの設定用画面を示す。）が表示部１２ｂに表示される。同図に示すように、スピーカの設定用画面には、元の画面表示に戻すための操作ボタンであるホームマーク１０６が表示される。この画面でホームマーク１０６が押下された場合には、図６（ｂ）〜（ｅ）に示した画面切替用の説明用画像が動きの変化と伴って表示された後、図６（ａ）に示す元の画面が表示される。
【００３８】
なお、図６（ｂ）〜（ｅ）に示した画面切替時用の画像は、動きの変化だけでなく、色彩、明度の変化を伴って表示されることとしてもよい。
【００３９】
以上説明したように、車載機器１において、タッチパネル１２ａを介して操作ボタンが押下された場合に、押下された操作ボタンの種類や継続押下時間に応じて、操作ボタンの説明用画像が表示部１２ｂに所定時間表示される。また、操作ボタンの押下が所定時間以上検出されない場合に、選択中のソースを説明する内容（操作ボタンに対応した説明用画像）の説明用画像が、次の操作入力がなされるまで表示される。また、説明用画像画像は、サイズ、形状、色彩、明度等の変化を伴って動的に表示される。
【００４０】
したがって、例えば、ボリューム変更時には変更後のボリューム数値を動的に表示することや、選択中のソースを説明する内容を動きのある文字により表示したり、押下された操作ボタンを動的に表示することが可能となる。このため、タッチパネル１２ａにおいて押下された操作ボタンや現在選択中の機能を視覚的にわかりやすく表示できるため、従来希薄であったタッチパネルの操作感を増すことができる。これにより、ユーザは、選択した機能を確実に確認することができる。また、ユーザは、表示部１２ｂの表示画面を正視しなくても、画像の動きや色の変化を目の端で確認するだけで、選択した機能を簡単に確認できる。
【００４１】
なお、本発明は、上記実施の形態に限定されるものではない。例えば、操作ボタンとその説明用画像の対応関係を上記実施の形態と異なるように構成してもよい。例えば、図４に示したソース切替時用の画像Ｇ２０２の代わりに、図６に示した画面切替用の画像Ｇ２０４を表示することも可能である。
【００４２】
また、図４（ａ）において、ＳＲＣボタン１０２は左右上下に振動する動きを伴って表示される例を説明したが、操作ボタンの押下時の表示態様はこれに限定されない。例えば、押下された操作ボタンを動きを伴って表示させるだけでなく、操作ボタンの色や形状を変化させて表示させることもできる。
【００４３】
さらに、上記実施の形態において、操作ボタンが押下された際に、説明用画像を表示するだけでなく、各説明用画像に対応付けられたビープ音やガイダンス音声等を音声出力部１９から出力することとしてもよい。
【００４４】
この他、本発明を適用した車載機器１をの細部構成、及び詳細動作に関しても、本発明の趣旨を逸脱しない範囲で適宜変更可能である。
【００４５】
【発明の効果】
本発明によれば、車載機器において、タッチパネルにおける操作に対応した機能を確実かつ容易に確認することが可能となる。
【図面の簡単な説明】
【図１】本発明を適用した一実施の形態による車載機器の機能的構成を示すブロック図である。
【図２】図１の車載機器により実行される画面表示制御処理を示すフローチャートである。
【図３】図１の表示部における画面遷移例を示す図である。
【図４】図１の表示部における画面遷移例を示す図である。
【図５】図１の表示部における画面遷移例を示す図である。
【図６】図１の表示部における画面遷移例を示す図である。
【符号の説明】
１  車載機器
１１  ＣＰＵ
１２  入力表示装置
１２ａ  タッチパネル
１２ｂ  表示部
１３  メモリ
１４  記憶装置
１５  ＧＰＳユニット
１５ａ  ＧＰＳアンテナ
１６  自律航法ユニット
１７  再生制御部
１８  タイマ
１９  音声出力部
２０  バス
３０  ＣＤ機構部
４０  ＭＤ機構部
５０  ＤＶＤ機構部
６０  チューナ機構部
６０ａ  チューナアンテナ
１０１  カテゴリーアップボタン
１０２  ＳＲＣボタン
１０３Ｒ，１０３Ｌ  ボリュームアップボタン
１０４Ｒ，１０４Ｌ  ボリュームダウンボタン
１０５  スピーカマーク
１０６  ホームマーク
【図１】
2004210216.tif 000003
【図２】
2004210216.tif 000004
【図３】
2004210216.tif 000005
【図４】
2004210216.tif 000006
【図５】
2004210216.tif 000007
【図６】
2004210216.tif 000008